Podtech/llm-jp-corpus-v4-ja_patent huggingface dataset:
(57)【要約】      （修正有）【課題】駐車場での自動車運転中においてブレーキとアクセルを踏み間違え大きな事故が多発している。それを防止するための急加速制限装置を提供する。【解決手段】ブレーキと間違えてアクセルを踏む場合、通常の運転時よりアクセルペダル２１を強く、早く踏むためアクセル信号の変化率（微分係数）が通常より大きくなり、急加速制限装置１の変換回路４の出力電圧が大きくなる。その出力電圧が比較器５の比較電圧８を越えるとフリップフロップ１０がプレセットされ、リレー１１が駆動する。リレー１１が駆動することで平常時ＥＣＵ２５に出力されていたアクセル信号Ａ２３は電圧７に切替えられる。電圧７を０或いはアイドル電圧に予めセットしておけば、ＥＣＵ２５への出力が低下し、急加速は制限される。【選択図】図１
2014000938.tif 000002
【特許請求の範囲】
【請求項１】
アクセルペダルの踏み込み量に応じたアクセル信号で原動機を制御する電子制御式車両において、アクセル信号の電圧をコンデンサに印加し、その時発生する電流を検知しその電流値が所定量を超えた時、アクセル信号を停止或いは低下させた擬似的な信号をＥＣＵへ出力し、車両の急加速を制限する装置である。
【発明の詳細な説明】
【技術分野】
【０００１】  ブレーキと間違えアクセルペダルを急激に踏み込んだとき車が急加速しないよう加速を制限する装置である。
【背景技術】
【０００２】  アクセルペダルを踏んだ回転角度を検知するため機械式スイッチを設ける。【０００３】  アクセル信号からアクセルペダル回転角度を検出しマイクロコンピュータで演算処理するもの。
【発明の概要】
【発明が解決しようとする課題】
【０００４】  以上の技術では装置の取付工事や装置そのものが複雑になってしまう。
本発明は、以上の欠点をなくすためになされたものである。
【課題を解決するための手段】
【０００５】  コンデンサ特性の動作式ｉ＝Ｃ×ｄｖ／ｄｔよりアクセル信号をｖとすればコンデンサに発生する電流ｉを監視することで急なアクセル信号の変化を検知できる。【０００６】  請求項１の急加速制限装置をアクセルペダルの踏み込み量に応じたアクセル信号で原動機を制御する電子制御式車両において、アクセルセンサと原動機を制御するＥＣＵ（エレクトリック・コンピュータ・ユニット）との間に設け、アクセルペダルを踏み込んだ量ではなくアクセルペダルを急激に踏んだ場合のアクセル信号変化率（時間軸における微分係数）をコンデンサで検知し、それが所定の値を超えた時異常と判断し、急加速制限装置でつくる新たな信号をアクセル信号として前記ＥＣＵへ出力する。【０００７】  急加速制限装置で作る新たな信号を０にするか小さなアクセル信号として前記ＥＣＵへ出力すれば車両の急加速が停止または制限できる。
【発明の効果】
【０００８】  アクセル信号の変化率（時間軸における微分係数）をコンデンサで常時監視することでアクセルペダルを奥深く踏み込む（ベタ踏み）前の初期段階で異常が検出でき、車両の急加速を制限できる。
【図面の簡単な説明】
【０００９】
【図１】  本発明のブロック図である。
【図２】  本発明のフローチャートである。
【発明を実施するための形態】
【００１０】  以下、本発明を実施するための形態について説明する。
図１のブロック図においてアクセル信号Ａ（２３）はバッファー（２）を介しコンデンサにつながれており常にコンデンサに発生する電流は監視されている。
【００１１】  アクセルペダル（２１）の踏み込み量に応じアクセルセンサユニット（２２）から出力されるアクセル信号Ａ（２３）を急加速制限装置（１）の（Ｓ１）へ接続する。
アクセル信号Ｂ（２４）は急加速制限装置（１）の（Ｓ２）へ接続する。
この状態で常にアクセル信号Ａ（２３）の変化をコンデンサ（３）が監視しており平常時はリレー（１１）が動作していないのでアクセルペダル踏み込み量に対応しているアクセル信号Ａ（２３）がそのままアクセル信号Ｂ（２４）としてＥＣＵ（２５）に出力される。
【００１２】  比較器（５）の入力の１つには変換回路（４）の出力が入り、もう一方の入力には電圧（８）が入っている。
【００１３】  アクセルペダル（２１）が踏み込まれるとコンデンサ（３）に電流ｉが発生する。アクセルペダル（２１）を踏むのが強いほど電流ｉは大きくなる。電流ｉは変換回路（４）で電圧に変換され、その出力は比較器（５）の入力に接続される。変換回路（４）の出力電圧が比較器（５）のもう一方の入力に入っている電圧（８）を超えると比較器（５）がフリップフロップ（１０）をプリセットし、リレー（１１）が駆動される。
【００１４】  リレー（１１）が駆動することで平常時ＥＣＵ（２５）に入力されていたアクセル信号Ａ（２３）は電圧（７）に切り替えられＥＣＵ（２５）へ出力される。
電圧（７）を０或いはアイドリング電圧に予めセットしておけばＥＣＵ（２５）への出力も低下するので急加速を制限できる。
【００１５】  比較器（６）の入力の１つにはアクセル信号Ａ（２３）が入り、もう一方の入力には電圧（９）が入っている。
【００１６】  アクセルペダル（２１）の踏み込みが戻るとアクセル電圧Ａ（２３）が降下し、電圧（９）より電圧値が下回ると比較器（６）がフリップフロップ（１０）をクリアし、リレー（１１）がＯＦＦして元の平常時に復帰する。
【００１７】  これで通常の待機状態に復帰する。
【００１８】  車両毎に特性が異なるので各設定電圧、電圧（７）、電圧（８）、電圧（９）は可変抵抗器等で電圧が変更できるようしてある。
【符号の説明】
【００１９】    １  急加速制限装置
３  コンデンサ
１１  リレー
２０  車両
２１  アクセルペダル
２３  アクセル信号Ａ
２５  車載ＥＣＵ
【図１】
2014000938.tif 000003
【図２】
2014000938.tif 000004
(57)【要約】【課題】新たな設置スペースを不要とし、簡潔な操作で自転車の進行方向を間違えることなく示せ、周囲から目視可能とすることで事故抑止に繋げる。【解決手段】自転車ベル１に、周囲から目視可能となる高照発光素子を備えた一方向指示器ライト３を小型かつ最小の部品点数で一体化し、スイッチ５を押すと一定周期で点滅し、一定時間経過後に自動消灯することで、簡単な操作を実現する。方向指示器ライト３の点滅が進行方向を示していることを周囲に知らしめるため、車両保安基準に即し、発光素子は橙色で毎分60から120回の一定周期で点滅させる。【選択図】図２
2014000881.tif 000002
【特許請求の範囲】
【請求項１】
一方向指示器と自転車ベルとを一体化することで、自転車ベルにて迷うことなく進行方向の意思表示を目視可能とし、小型かつ最小の部品点数で各操作を損なうことなく実現することを特徴とする自転車ベル。
【発明の詳細な説明】
【技術分野】
【０００１】
本発明は、自転車の衝突抑止をするための一方向指示器付きベルに関するものである。
【背景技術】
【０００２】
従来のライト付き自転車ベルには、打鈴に呼応して音とともに光を発するものがある。（例えば、特許文献１、特許文献２参照）
従来のライト付き自転車ベルは、内部に発電発光素子を備え、打鈴時の力を利用しベルの一部を発光させ、打鈴に視覚的警告効果をもたらすもとして、実用に共されている。
【先行技術文献】
【特許文献】
【０００３】
【特許文献１】特許公開２０００−３８１７６
【特許文献２】特許公開２０００−２５６６７
【発明の概要】
【発明が解決しようとする課題】
【０００４】
解決しようとする問題点は、発光素子の発光が打鈴の視覚的警告効果をもたらすものであり、進行方向の意思表示としての機能を有していない点である。
【課題を解決するための手段】
【０００５】
本発明は、進行方向の意思表示を目視可能とするため、オートバイの方向指示器に模したライトを自転車ベルと一体化することを最も主要な特徴とする。
【発明の効果】
【０００６】
本発明の自転車ベルは、方向指示器を模したライトの操作をあえて１つとするため、咄嗟の事態においても対向する人や車に対し間違いなく速やかに進行方向を示せるという利点がある。
【０００７】
本発明の自転車ベルは、打鈴操作ボタンと方向指示器を模したライトの点灯操作ボタンを近距離で分離するため、用途に応じて別々や同時に操作ができるという利点がある。
【０００８】
本発明の自転車ベルは、方向指示器を模したライトの発光素子を乾電池の電源により点滅させるため、ベル内部に発電素子が不要であり、小型かつ簡潔な構造が実現できるという利点がある。
【０００９】
自転車用方向指示器とは異なり、自転車ベル（警音器）は道路交通法にて設置が義務化されているため、小型かつ簡潔な構造の本発明の自転車ベルは普及する素地がある。
【図面の簡単な説明】
【００１０】
【図１】本発明の実施方法を示した正面図である（実施例１）
【図２】本発明の実施方法を示した左側面図である（実施例２）
【図３】本発明の実施方法を示した背面図である（実施例３）
【図４】本発明の実施方法を示した自転車にとり付ける図である（実施例４）
【発明を実施するための形態】
【００１１】
自転車ベルに一方向指示器の機能を付加するという目的を、小型かつ最小の部品点数で、各操作を損なうことなく実現した。
【実施例】
【００１２】
以下、本発明の実施形態について説明する。
図１は、本発明の実施方法を示した正面図であって、１〜３は、図２、図３と同様である。
図２は、本発明の実施方法を示した左側面図であって、４〜５は、図３と同様である。
【００１３】
図において、１はベルで、金属を形成したものである。金属物などの硬化なもので打つと大音響を発する。
【００１４】
図において、２はベルと一方向指示器ライトを固定し、かつハンドルに固定する留め具であり、左記目的が叶うものであれば材質や形状は問わない。
【００１５】
図において、３は一方向指示器ライトであり、正面と上部に高照度LEDなどの発光素子を備え、スイッチボタンを押すと一定周期で点滅し、一定時間経過後に自動消灯することで、簡単な操作を実現する。
また、車両保安基準に即し、発光素子は橙色で毎分60から120回の一定周期で点滅させることで、方向指示器の意味を理解している大多数の人々の行動性向を誘引するすることができる。
【００１６】
図において、４は１を打鈴するバネであり、下部に弾くことでその反動で１を打つものである。
【００１７】
図において、５は３のスイッチボタンであり、押すことで３のスイッチが入る。一定時間経過後に自動消灯するため、簡単な操作が実現できる。
また、あえて一方向の方向指示器とすることで、操作に悩む必要がなく、進行方向の意思表示ができる。
このことは、自転車の特性上、低速ではバランスを崩し蛇行しやすく、バランスの修正に意識を集中せざるを得ない状況の搭乗者と、対向する人や車に対し有用である。
【００１８】
図において、６は本発明を自転車にとり付ける図であり、自転車ベルの操作上、ハンドル近辺に設置するのが一般的であるため対向する人や車に対し進行方向を示せる。
本発明は、ハンドル左側への設置を推奨することで、本発明装着車同士での事故防止ともなる。
【符号の説明】
【００１９】
１  自転車ベル
２  自転車ベルと一方向指示器を固定し、かつハンドルに固定する留め具
３  一方向指示器ライト
４  打鈴バネ
５  一方向指示器ライトのスイッチ
６  本発明
【図１】
2014000881.tif 000003
【図２】
2014000881.tif 000004
【図３】
2014000881.tif 000005
【図４】
2014000881.tif 000006
(57)【要約】【課題】システム手帳中央閉じ込みリングと筆記面との段差があるため筆記作業がやりにくかった。本発明はその段差を解消し筆記作業を容易にするシステム手帳高さ調整スタンドを提供する。【手段】ストッパーを設けた上プレートと高さ調整レバー、閉じ込み孔を設けた下プレートとを跳ね上げバネを設けた折り畳みステイにて連結する。【選択図】図１
2014000787.tif 000002
【特許請求の範囲】
【請求項１】
ストッパー（２）を設けた上プレート（１）、閉じ込み孔（７）・高さ調整レバー（６）を設けた下プレート（３）、上プレート（１）・下プレート（３）を連結する跳ね上げバネ（５）を設けた折り畳みステイ（４）からなるシステム手帳高さ調整スタンド。
【発明の詳細な説明】
【技術分野】
【０００１】本発明はシステム手帳での筆記作業を容易にするための高さ調整スタンドである。
【背景技術】
【０００２】筆記作業面ファイルの下にくの字型に折れ曲がった板を２個配置し閉じ込みリング上端と筆記面との段差を無くす調整板（実用新案文献１）が知られている。
【先行技術文献】
【０００３】
【実用新案文献１】
実用新案公開  平６−２４９６５号  公報
【発明の概要】
【発明が解決しようとする課題】
【０００４】  従来のシステム手帳の筆記作業時の記入障害を解消する調整板には次のような欠点があった。
（イ）くの字に折れ曲がった板が一定の高さを維持できる機能を備えていないため筆記作業時にくの字が変形し筆記高さを維持できない。
（ロ）二つのくの字に折れ曲がった板のくの字角度を手で調整しなければならず面倒だった。
（ハ）二つのくの字に折れ曲がった板のくの字角度を同じ角度に調整することが難しい。
（二）二つのくの字に折れ曲がった板をシステム手帳に収納する場所が無く不便だった。
本発明は以上の問題点を解決するために発明されたものである。
【課題を解決するための手段】
【０００５】  ストッパー（２）を設けた上プレート（１）と高さ調整レバー（６）、閉じ込み孔（７）を設けた下プレート（３）とを跳ね上げバネ（５）を設けた折り畳みステイ（４）に連結する。
以上の構成よりなるシステム手帳高さ調整スタンド。
【発明の効果】
【０００６】本発明を使用することによってファイル閉じ込み枚数の分量に応じて筆記高さを閉じ込みリング上端高さに合わせることにより筆記作業を容易にすることができる。
また本発明は閉じ込み孔を設けてあるため市販されているシステム手帳に閉じ込み使用することができる。
【図面の簡単な説明】
【０００７】
【図１】本発明の高さ調整スタンドの斜視図
【図２】本発明の高さ調整スタンドの使用状態を示す平面図
【図３】本発明の高さ調整スタンドの使用状態を示す正面図
【図４】本発明の高さ調整スタンドの使用状態を示す正面図
【図５】本発明の高さ調整レバーの断面図
【図６】本発明の使用状態を示す正面図
【０００８】  以下、本発明の実施の形態を説明する。
（イ）、上プレート（１）にストッパー（２）を設ける。
（ロ）、下プレート（５）には折り畳みステイ（４）、高さ調整レバー（６）を取り付け閉じ込み孔（７）を設ける。
（ハ）、高さ調整レバー（６）を押圧したとき上プレート（１）が折り畳みステイ（４）に取り付けられた跳ね上げバネ（５）により上に跳ね上がる。
（ニ）、高さ調整レバーの内側に凹凸（８）を設ける。
（ホ）、高さ調整レバー（６）を閉じることにより上プレート（１）に設けられたストッパー（２）の先端部が高さ調整レバー（６）に設けられた凹凸（８）の凹面に勘合することにより任意の位置で跳ね上げられた上プレート（１）を保持できる。
本発明は以上の構成よりなる。
本発明を使用する場合は記入する紙面を最上部にもってきた閉じ込みファイル（１０）を上プレート（１）に載せ、高さ調整レバー（６）を押圧し記入する紙面を閉じ込みリング上端部高さ（１２）に合わせ、高さ調整レバー（６）を閉じることにより上プレート（１）が保持される。
筆記作業を終了する場合は高さ調整レバー（６）を再び押圧し上プレート（１）を下プレート（３）上面に接するまで押し下げて高さ調整レバー（６）を閉じることにより上プレートが収納される。
【符号の説明】
【０００９】  １  上プレート
２  ストッパー
３  下プレート
４  折り畳みステイ
５  跳ね上げバネ
６  高さ調整レバー
７  閉じ込み孔
８  凹凸
９  閉じ込みリング
１０  閉じ込みファイル
１１  システム手帳カバー
１２  閉じ込みリング上端高さ
【図１】
2014000787.tif 000003
【図２】
2014000787.tif 000004
【図３】
2014000787.tif 000005
【図４】
2014000787.tif 000006
【図５】
2014000787.tif 000007
【図６】
2014000787.tif 000008
(57)【要約】【課題】  農作物の苗を外敵から守り、苗を大きく生育促進する苗育成カバーを提供する。【解決手段】  本発明は、地面に苗を植えると同時に透明性の円筒状胴体カバー１を埋め込み、前記円筒状胴体カバー１の上部にトップカバー２を挿入し苗育成カバーを形成する。苗を苗育成カバーで囲い込むことで外敵の侵入防止となる。また苗育成カバーで保温状態を保てられ、トップカバーの散水穴が日中の日差しによって高温になるのを防ぎ、苗の生育が促進される。苗の生育過程でトップカバー２を取り外すことで大きく生育させることができる。円筒状胴体カバー１は、収穫まで埋め込ん状態にしていれば外敵による被害がなく、大きく生育して開花、収穫の楽しみが得られる。【選択図】図１
2014000040.tif 000002
【特許請求の範囲】
【請求項１】
透明性を有する胴体カバー,透明性を有するトップカバーを単体で使用、および組み合せて使用することを特徴とした苗育成カバー。
【請求項２】
農作物の苗を外敵から守るため、円筒状で囲い込み外周表面が滑りやすい構造の胴体カバーを有する請求項１記載の苗育成カバー。
【請求項３】
外敵が、外周から這いあがり侵入することを防止するため、胴体上端部に向かってテ―パ状に拡開する構造の胴体カバーを有する請求項１記載の苗育成カバー。
【請求項４】
外敵が、外周から這いあがり侵入することを防止するため、胴体上部の端部を鍔状に曲げ下ろす構造の胴体カバーを有する請求項１記載の苗育成カバー。
【請求項５】
苗の育成に必要な水分を補給する散水穴を数か所設けたトップカバーを有する請求項１記載の苗育成カバー。
【発明の詳細な説明】
【技術分野】
【０００１】
本発明は、農産物等の苗を害虫を代表とする外敵から守こと、育成することを目的とする苗育成カバーに関するものである。
【背景技術】
【０００２】
従来より、農作物の苗を害虫を代表とする外敵から守り、育成するために地面に埋めた苗に苗帽子（特許文献１）等を被せていた。
【先行技術文献】
【特許文献】
【０００３】
【特許文献１】特開２００６−２９６３６６号公報
【発明の概要】
【発明が解決しようとする課題】
【０００４】
従来、苗の外敵対策に苗帽子を使用していた。苗帽子の飛散防止方法は、鍔に串等を打ち込み固定していた。また、苗が大きく生育すると苗帽子、串を取り外す必要があった。地面に串を打ち込む作業と串を抜き取る作業は、大きな力仕事で身体に重い疲労感が残り、疲れやすくなる。
【０００５】
本発明は、このような状況を改善したもので、苗を植えると同時に地面に埋め込むようにした胴体カバーと苗の生育に合わせて取り外せるトップカバーで構成した苗育成カバーを提供することを目的とするものである。
【課題を解決するための手段】
【０００６】
本発明は、上記課題を解決する胴体カバー、トップカバーを単体で使用、および組み合せて使用することを特徴とした苗育成カバーを提供することを目的としている。
【０００７】
苗を外敵から守るために、円筒状で滑りやすい構造、胴体上部に向かってテ―パ状に拡開する構造、胴体上部の端部を鍔状に曲げ下ろす構造等から選択した胴体カバーと、苗の育成に必要な水分を補給する散水穴を数か所設けたトップカバーで構築したもの。
【発明の効果】
【０００８】
本発明の苗育成カバーは、大きな労力なく地面に埋め込むことができ、作業性のよい苗育成カバーを提供できる。
【０００９】
苗の育成に必要な保温効果と水分補給をできる苗育成カバーを提供できる。
【図面の簡単な説明】
【００１０】
【図１】苗育成カバーに使用する円筒状胴体カバー、およびトップカバーの斜視図である。
【図２】苗育成カバーに使用するテーパ状胴体カバー、および鍔付きテーパ状胴体カバーの斜視図である。
【発明を実施するための形態】
【００１１】
以下、本発明の実施形態を図１〜図２に基づいて説明する。
【００１２】
図１において、１は円筒状胴体カバーである。２はトップカバーである。図２において、３はテーパ状胴体カバーである。４は鍔付きテーパ状胴体カバーである。
【００１３】
上述の胴体カバー１、３，４とトップカバー２は、耐熱性、強度に優れ、リサイクル可能であるポリエステル系プラスチックを成型加工したものである。
【００１４】
胴体カバー１、３，４のいずれかを選択して胴体カバー上部にトップカバー２を挿入することで苗育成カバーを構築できる。
【００１５】
胴体カバー１、３，４の下部を特別な道具が必要なく楽に地面に埋め込むことにより外敵の侵入を防止する効果が得られる。トップカバー２を被せることで苗育成カバー内の保温と上部の散水穴が日中の日差しによって高温になるのを防止する効果で苗の育成が促進される。胴体カバー単体で外敵防止、苗を育成することも可能である。
【符号の説明】
【００１６】
１．  円筒状胴体カバー
２．  トップカバー
３．  テ―パ状胴体カバー
４．  鍔付きテ―パ状胴体カバー
【図１】
2014000040.tif 000003
【図２】
2014000040.tif 000004
(57)【要約】【課題】  浮きの動きで魚を釣る合わせのタイミングを取るが釣り針の食い込みの量が浅く、タイミングの幅が狭いため、合わせが難しいが止め板を設けたことにより釣り針の食い込みが深くなり魚自身での針がかりとなり合わせが容易になる止め板付き浮きを提供する。【解決手段】  浮きの軸（１）の一端に止め板（２）を設けた止め板つき浮きを特徴とする。【選択図】図１
2014000069.tif 000002
【特許請求の範囲】
【請求項１】
浮きの軸（１）の一端に止め板（２）を設けた魚釣りの浮き。
【発明の詳細な説明】
【技術分野】
【０００１】  この発明は魚釣りの浮きの軸の一端に止め板（ストッパー）を設けた止め板つきの浮きに関するものである。
【背景技術】
【０００２】  従来、魚釣りの浮きは魚の食いつき（以後は当たりとする）を見分ける道具であった。
【発明の概要】
【発明の解決しようとする課題】
【０００３】  これは次のような欠点があった。
従来の浮きは魚の当たりを見分ける釣り道具のため魚を釣る合わせのタイミングは難しく、釣りの経験、技術に左右され釣りの成果は大きく異なった。
本発明は以上の欠点を無くするためになされたものである。
【課題を解決するための手段】
【０００４】  浮きの軸（１）の一端に止め板（２）を設ける。
本発明は、以上の構成よりなる止め板（ストッパー）つきの浮きである。
【発明の効果】
【０００５】  浮きの軸の一端に設けたブレーキとなる止め板により、魚の当たり時の動きが水の抵抗力を増し釣り針を強く魚に食い込ませ魚自身の引きで針がかりをさせる。
【図面の簡単な説明】
【０００６】
【図１】  本発明の斜視図である。
【図２】  本発明の断面図である。
【発明を実施するための形態】
【０００７】  以下、本発明を実施するための形態について説明する。
浮きの軸（１）の側面の一端に、アクリル，木、樹脂、ゴム、などで作製した止め板（２）を設ける。
本発明は以上のような構造である。
これを使用するときは、浮きを固定する釣り方では浮きの軸に浮き止めを組み付ける、又は浮きがある程度遊動する釣り方では浮きの軸部に穴をあけ釣り糸と組み合わせ使用する。
【符号の説明】
【０００８】１  浮きの軸
２  止め板（ストッパー）
【図１】
2014000069.tif 000003
【図２】
2014000069.tif 000004
(57)【要約】      （修正有）【課題】高温高圧蒸気や希ガスを使うことなく大気圧空気プラズマによる粉粒体の低温殺菌装置を提供する。【解決手段】粉体用サイクロンとその外周に大気圧空気プラズマ照射用ノズルが数個で構成された分離装置で、投入され周界する粉粒体にプラズマが照射される。又、内部に円筒アンテナ２１と仕切りアンテナ２２を設けてより効果的に長時間連続照射が行われるよう段階的間隙により殺菌、改質が行える。【選択図】図１
2014000068.tif 000002
【特許請求の範囲】
【請求項１】
大気プラズマによってサイクロン内を周界する水分の少ない粉体、粒状物を低温で滅菌、改質させることを特徴とする粉、粒体の連続式殺菌改質装置。
【請求項２】
プラズマ効果を長時間持続的に維持させる為の円筒形及び仕切り形アンテナをサイクロン内壁に取り付けた請求項記載の粉粒体の連続式殺菌改質装置。
【発明の詳細な説明】
【技術分野】
【０００１】本発明は大気圧プラズマ殺菌方法において連続的に処理するサイクロン方式に関する
【背景技術】
【０００２】従来の粉粒体殺菌方法は、高圧加熱蒸気を用いて密閉された空間に於いて、専ら高温での加熱処理をされているのが一般的である。【０００３】その為加熱による食品の品質劣化なくその防止に関して多くの報告がある。例えば減圧下でアルコールによる殺菌システム。しかし、大気圧下で連続処理を組み込んだものはなかった。【０００４】他方実用されているものとして放射線によろ殺菌機構があるが、これは細胞内の水、酸素をイオン化し、生じたＨ２Ｏ、ＯＨ基や有機過酸化物が細胞内の他分子に作用するのである。【０００５】そして殺菌が短時間で十分満足に行われることになるが殺菌出来ても食品の安全性に乏しく限られた分野以外に利用分野がなかった。例えば、発芽防止【０００６】大気圧プラズマによる殺菌例として、希ガスを使って小規模実験例の報告があるが、何れも連続性や、ガス混合比による複雑な実験報告にとどまっている。例えば、Ａｒ，ＨｅにＯ２ガスを混合して酸素ラジカルを有効に発生させる方法。
【先行技術文献】
【特許文献１】特開２０００−１５７４１６粉粒物質の加熱処理装置
【特許文献２】特開」平１０−３２７８３１粉粒体食品の殺菌装置及び殺菌方法
【発明が解決しょうとする課題】
【０００７】人体への影響がなく、高温の加熱蒸気やアルコール、希ガスが不要で機密性も必要なく大気圧下のでサイクロンに粉粒体を直接吸い込んだ場合
【０００８】従来のサイクロンでは気体と粒体の分離が行われれば直ちに回収されれば、よかったので暖間的に分離が行われたが
【０００９】殺菌の場合プラズマにその粉粒体が直接接触し、しかも長時間プラズマ中で殺菌作業が行われる必要があり、その形態には満足のいくものがなかった。
【００１０】又、プラズマとの反応時間を長く取るためにはアンテナの構造に工夫が必要であった。
【課題を解決するための手段】
【００１１】そこで本発明は大気圧空気プラズマと粉粒体をサイクロン内で周界させて殺菌することを特徴とする。（請求項  Ｉ）
【００１２】サイクロン内にアンテナを取付けてプラズマ効果を長時間持続させるためのアンテナを取付けた。（請求項  ＩＩ）
【発明の効果】
【００１３】乾き状態のまま殺菌や改質が行われるので処理後の経時変化がない。
大気中の酸素の電離効果によるもので、窒素も含め残存ガスによる害はない。
又、物性変化の於き難い低温処理ができる。
連続式に経済性の良い多量の処理が可能になる。
【図面の簡単な説明】
【００１４】
【図１】本発明サイクロンの平面図
【図２】正面図でプラズマ照射位置が段階状で接続方向に取付けてある。
【符号の説明】
【００１５】１１．粉粒体投入口
１２．排気口
１３．プラズマ発生部
２１．円筒形アンテナ
２２．仕切  アンテナ
３１．サイクロン本体
【発明を実施する為の」最良の形態】
【００１６】以下、本発明の実施形態に係るサイクロン方式による大気圧プラズマ殺菌装置について、添付図面を参照しつつ説明する。
【００１７】サイクロン本体３１の上部１１より被処理粉粒体が順次投入されるとき、１２より気体が吸引され処理物は、下部タンクに貯蔵される。
【００１８】この時、段階的に接続方向に設置されているプラズマ放照管１３（Ａ，Ｂ，Ｃ，Ｄ）より発せられるプラズマが被処理体の周界を阻害することなく接触できる状況が出来る。この時のプラズマ炎の温度は５０〜７０℃で被処理体と接触している。
【００１９】アンテナ２１とサイクロン３１との間隙はプラズマ発生のマイクロ波２４５０ＭＨｚの１／４波長の距離がありプラズマの効果を最大に受容できる。
【００２０】周界により連続性をもたせる為に内筒アンテナ２１に垂直に取付け各段階を構成する。
仕切りアンテナ２２が周囲に設けられ各段階が仕切られている。
【００２１】周界している被処理体が段階を降下する為の間隙が仕切りアンテナ２２の外周と本体３１の内面とは帯留時間に応じて離れている。
【００２２】このようにして被処理物は１１より投入され１０数秒〜数１０分プラズマに照射され殺菌、改質が行われることになる
【産業上の利用可能性】
【００２３】本発明の活用例として加圧、加水せずに乾燥粉粒体をそのままサイクロンを通すことで大気中の酸素が活性化された大気プラズマにより連続殺菌が可能になる。
【実施例】
【００２４】ヨーグルト菌（ケフィアヨーグルト種菌）を使用した殺菌効果を示す。
被処理    ：    １  ×  １０００００００００    コ／ｇ
プラズマ照射時間  ５分            ：    １  ×  １０００００００    コ／ｇ
１０分        ：：    ２．３  ×  １０００００    コ／ｇ【００２５】乾燥カマボコにプラズマを５分、１０分間照射後の湯戻し時の食感改質効果を示す
硬さ（Ｈｋｇ）    ガム性（Ｈ  ×  Ａ２／Ａ１  ×  １００）
無処理  →  ２．２          １１５
５分    →  ２．１          １００
１０分  →  １．４            ７０
計測器  ：  テクスロメーター（全研）
【図１】
2014000068.tif 000003
【図２】
2014000068.tif 000004
(57)【要約】【課題】  本発明は、植物の育成に充填材を使用し、温度を調節して、育成から収穫または飛散するまで育てることを目的とする。【解決手段】  植物を植え付ける充填材を盛り付けた、透明または半透明の半球体の内側容器２と、上側に開閉自在のカバーを備えた透明または半透明の半球体または楕円体の外側容器１とから成り、内側容器と外側容器の間の底面に加熱及び回転を与えるテーブル３を介在させたことを特徴とする植物育成容器。【選択図】図１
2014000066.tif 000002
【特許請求の範囲】
【請求項１】
植物を植え付ける充填材を盛り付けた、透明または半透明の半球体の内側容器２と、上側に開閉自在のカバーを備えた透明または半透明の半球体または楕円体の外側容器１とから成り、内側容器と外側容器の間の底面に加熱及び回転を与えるテーブル３を介在させたことを特徴とする植物育成容器。
【発明の詳細な説明】
【技術分野】
【０００１】  本発明は、植物の種、苗から育成し、収穫まで育てる植物育成容器。
【背景技術】
【０００２】  従来、植物の育成は土壌や水耕での植物育成が多く、育成するスペースやその環境に接する限られた職種の人が携わり、都市やマンション・アパート・店舗等での狭い場所で植物育成には、鉢やプランター、発砲スチロールの箱などで対処し、家庭栽培用土壌等での育成が多く、水の管理も毎日のようにしなしなくてはならなく、また、水や土壌を使用しているため、庭園やベランダでの育成が多い、また、食する野菜等など汚れや細菌等付着の心配もあり、都市では家庭菜園等の食する植物の育成は少なかった。
【発明の概要】
【発明が解決しようとする課題】
【０００３】  都市やマンション・アパート等での狭い場所等や土壌のないスペースでも植物が育成でき、水や肥料の管理も容易に緩和し、特に食する植物の衛生面での気配りの点である。
【課題を解決するための手段】
【０００４】  本発明は、植物を植え付ける充填材を盛りつけた、透明または半透明の半球体または楕円体の内側容器と、上側に開閉自在のカバーを備えた透明または半透明の間に加熱及び回転を与えるテーブルを介在させた事を特徴とする植物育成器。
【発明の効果】
【０００５】  本発明は、内側容器に水分や液体肥料を十分に吸収させた充填材を盛りつけたので、植物は根より水分及び栄養を吸い上げることができる。また、内側容器及び外側容器を透明または半透明により太陽光等を十分に取り入れ植物の成長と光合成を促進させる。また、加熱を与えるデーブルを介在させたことで、植物の成長に必要な温度不足の場合でも適度の温度を与える事ができ、回転を与える事に依って植物全体に太陽光が当たる事と内側容器と外側容器を透明または半透明にしたことでで植物の成長過程を観察でき、インテリアの一部としても飾ることができるし、植物の学習にも貢献できる。
【図面の簡単な説明】
【０００６】
【図１】本発明の正面図である。
【図２】本発明の側面図ある。
【図３】本発明の各形状の正面図で（Ａ）が楕円形状、（Ｂ）が長方形形状、（Ｃ）が外側容器を円形状、内側容器を多角形状とした場合を示す。
【発明を実施するための形態】
【０００７】  本発明は内側容器に充填材を盛り、その外側に外側容器を設け上部に開閉自在なカバーを備え二重構造にし、その間底部に、回転・加熱テーブル江尾介在させ、外側容器の底面にセンサーを備えた台座を介在した事を特徴とした育成容器である。
【実施例１】
【０００８】  １が外側容器で、透明または半透明（色付きも可能）の球体または楕円体、立方体、多角形体で形成し、プラスチック、アクリル、塩ビ、硝子等の素材とし、透明または半透明カバー１０を介在し、開閉自由に結合する。
２が内側容器で、透明または半透明（色付きも可能）の球体または楕円体、立方体、多角形体などで形成し、プラスチック、アクリル、塩ビ、硝子等の透明または半透明の素材とする。内側容器２の中に高吸水性高分子等を主体とした充填材を混入させ盛りつけ、この充填材（高吸水性高分子、不織布、ポリマー〈球体またはゲル状〉、液体肥料、ハイドルゲルフイルム、銀・銅イオン付着させたイオン粒）は、植物９の発芽や苗を成長させるものである。
３が回転・加熱テーブルで、外側容器１と内側容器２との間に設け、回転および加熱を与えるものとする。加熱は植物の成長に最適な温度を与え、回転は植物にムラ無く日光を与え光合成を促進させると共に、内側容器の回転により鑑賞する人の興味を引くものでもある。
４が台座で、外側容器を支えるものである。台座４にボタン６を配置し赤外線センサー、装飾光、効果音等を設けてそのオンオフを司る。【０００９】  図１の外側容器１には、透明又は半透明の球体を使いその上部にカバー１０を付けたことによって衛生面も保温性も保ち、また、球体でも台座４を固定することによって安定がたもてる。カバー１０も開閉が自由に調節することによって容器内に熱を調節し、太陽光で植物の光合成もできるので植物の育成には十分に配慮した容器である。【００１０】  図１の内側容器２には、透明又は半透明の球体を使いその中に充填材５．を盛りつけ、植物の種または苗を入れて育成し、ポリマーを使用する事によって水も管理しやすく、植物も身近に置けるので容易に監視できる。また小さな種などの発芽には不織布や吸収紙、ハイドルゲルフイルム等を充填材の上に敷き発芽しやすくし、根の不安定な植物は充填材のポリマーにゲル状を混合させて根を安定させる。銀・銅イオン粒の混入は腐敗を防ぐことができる。【００１１】  図２の回転・加熱テーブルは、外側容器と内側容器の間に介在した事によって、内側容器２は回転し植物に太陽光が均等に当たり光合成も向上する。また、植物が成長する最適温度が下回っても加熱を与えることによって成長を維持するができる。【００１２】  図１のボタン６や充填材５を設けた事に依って植物の育成だけではなく、インテリアとしても十分高められ植物全体の育成が見え、赤外センサーや装飾光等を設けたことでインテリア効果も上げている。【００１３】  図３の植物育成容器は、育成する植物等の特性を生かし、単・複・丈の高さや大きさによって円形、楕円形、角丸長方形等を使い分、種または苗から育成し開花から収穫等までこの容器で育成する。
【産業上の利用可能性】
【００１４】  身近で植物の育成ができ全体が観察出来るので、植物の学習や教育にも適している。
【符号の説明】
【００１５】  １．外側容器
２．内側容器
３．回転・加熱テーブル
４．台座
５．充填材
６．ボタン
７．電源コード
８．取っ手
９．植物
１０．カバー
１１．ジョイント
【図１】
2014000066.tif 000003
【図２】
2014000066.tif 000004
【図３】
2014000066.tif 000005
【手続補正書】
【提出日】平成25年5月23日(2013.5.23)
【手続補正３】
【補正対象書類名】明細書
【補正対象項目名】０００７
【補正方法】変更
【補正の内容】
【０００７】  本発明は内側容器に充填材を盛り、その外側に外側容器を設け上部に開閉自在なカバーを備え二重構造にし、その間底部に、回転・加熱テーブルを介在させ、外側容器の底面にセンサーを備えた台座を介在した事を特徴とした育成容器である。
(57)【要約】【課題】  ガス＆ガス混合を目的とした乱流接触による球形サイクロンの方法と装置を提供する。【解決手段】  サイクロンは分離器として知られているが、球形サイクロンは形状から全く異なる作用として混合接触、特にガス＆ガス接触が他に類を見ない程優れた効率を示し、球形サイクロン内を接線方向に旋回した後、球形の１／６内外の排出筒に奔流のように流速を上げて投入する時乱流が起り、臭気物質１７０万（稀釈倍率）がオゾン接触酸化により９９．９９９８６５処理され、２３０（希釈倍率）まで処理を可能にし、更に内筒にテーパを付け、流速を遮断する為半円の天蓋を設け、天蓋の隙間から排出を試みたところ、乱流が再度起り、０．０００１３５が処理されたことを特徴とするガス＆ガス混合等乱流接触による球形サイクロンの方法とその装置。【選択図】図１
2014000561.tif 000002
【特許請求の範囲】
【請求項１】
球形サイクロン内中央に垂直に取付けられた任意の太さの排出管内に、テーパを形成した内筒を任意の長さに設置し、該上部に排出の流れを遮蔽する半月形の天蓋を設けることを特徴とするガス＆ガス混合を目的とした乱流接触による球形サイクロンの方法とその装置。
【請求項２】
上記のようにテーパを持つ排出内筒の上部に半月形の天蓋を設け、遮蔽されることで乱流が再び起り、接触効率を上げた後、テーパ付円筒と半月形天蓋の間にガス排出用間隙からガスを排出することを特徴とするガス＆ガス混合を目的とした乱流接触による球形サイクロンの方法とその装置。
【発明の詳細な説明】
【技術分野】
【０００１】  ガス＆ガス接触技術は化学物質を製造する時、重要なことは認識しているに拘らず、優れた機器が無かった。【０００２】  化学会社の多くは液＆液混合用スタテックミキサーを使用し、触媒と称して活性炭を媒体にして、緩慢反応に時間を費消しながら急速反応装置の出現が望まれていた。
【背景技術】
【０００３】  我邦の化学会社の多くは欧米の技術を導入する時、反応装置も契約条件の一つに入っており、技術供与を当然の如く一括導入するため、装置の購入も契約の条件となっつていた。
【先行技術文献】
【０００４】
【特許文献】
【特許文献】  特開２０００−１５３１４２  本特許文献では流体の内、液体は１９７６年に特許が認定されたスタテックミキサーで、混合することは可能と思われるが、気体の混合テストを行わないことから、混合出来ると思って出願されているように思われる。【０００５】  スタテックミキサーを見ると羽根の角度や大きさ等が緻密に計算されて、欧米人好みの形状を呈しており、微粒子の固体も気体も混合出来るように思われるが、実際に使って見ると液体混合に限られる。【０００６】  上記のことから、実用化できる気体＆気体混合が可能な装置の開発が望まれていた。
【発明の概要】
【発明が解決しようとする課題】
【０００７】  化学会社からガス＆ガス反応による現場へ呼ばれて、活性炭を触媒と称して多孔質の物性から、吸引し、排出を繰り返し行うことで緩慢接触反応が行なわれていた。【０００８】  当社への依頼は純白の結晶になる製品中に黒い活性炭が混入し、ゴマ塩状態を呈する為、何とか活性炭を除去する技術を協力して欲しいと懇望され、本出願人は活性炭を使用しないで急速ガス＆ガス接触方法を進めたが、欧米の製薬会社の契約違反を恐れて採用されなかった。
【課題を解決する為の手段】
【０００９】  上記のことから既に臭気ガスとオゾンガス混合により１７０万（臭気濃度・希釈倍率）の原臭を２３０までの処理は、球形サイクロン（本出願人特許第１６１８３８７号）で可能にしたが、更に精度を上げる技術を完成した。
【００１０】  球形サイクロンの直径に対する排出管の太さの比例によって、５０ｍｍＡＱ〜１００ＡＱの圧力が掛かり気体の指向性を安定的に保つことを可能にしたが、短時間で接触混合するには層流ではなく乱流を繰り返し起すことが絶対条件となる。
【００１１】  上記球形サイクロンは大容量の球の容積に対して球の直径の１／６内外の排出管内に競って排出する時、乱流が起き予想を上廻るガス＆ガス接触の効果が得られたことから、非接触ガスを更になくす為、乱流を促進する工夫を行なった所好結果が得られ、略々非接触ガスは認められなくなった。
【００１２】  従来のサイクロン即ち円筒下部円錐形と球形サイクロンは同じサイクロン効果を持つが全く異なる現象が見られた
【００１３】  円筒下部円錐形は分離作用が大きく、円錐形下部の排出口に大きな圧力が有るのに、球形では下部への圧力は乏しく垂直排出管への吸引力が強く、全く正反対の圧力の違いが認められ、この違いがガス＆ガス接触混合の道を開いた。
【発明の効果】
【００１４】  ガス＆ガスがリアルタイムで行われると、世界中の屎尿処理場や製鉄所或は火力発電所で多く使われている石炭の燃焼等から排出される亜硫酸ガスとアンモニアを、球形サイクロン内に導入してオゾン酸化すると、硫酸アンモニアが生成される。
【００１５】  世界の硫安製造方法は液化アンモニアに硫酸を吹き込む液化硫安法一辺倒であったが、ガス＆ガス硫安法が成立し、各都市の大気汚染除去の一助になる。
【図面の簡単な説明】
【００１６】
【図１】  以下、本発明によるガス＆ガス混合等乱流接触による球形サイクロンの方法とその装置。
【図２】  本発明の乱流接触部を拡大した図である。
【発明を実施するための形態】
【００１７】  以下、本発明によるガス＆ガス混合等乱流接触による球形サイクロンの方法とその装置を実施例によって説明する。
【実施例１】  球形サイクロン（本人特許第１６１８３８７号参照）を使用することを特徴とし、大容量の球形内の内壁面接線方向に旋回圧力流を形成し、粗い固体は内壁面に添って下降する。遠心力によって分離浄化された気体は球形の直径の約１／６の排出筒へ奔流となって流れ、乱流接触を起す。【００１８】  排出筒内は二重構造でテーパーを設け上部に行くに従い細い円筒を形成し、流速を上げる。細い管の上に半月形の蓋が被せてあり、気体の行く手を遮る。テーパーを設けた円筒と半月形の蓋の間に任意の隙間を儲け、気体は半月形の蓋の下でロール状に旋回しながら乱流になり該蓋の下に設けた狭い隙間から上昇し、排出筒内を経て大気放出する。
【産業上の利用可能性】
【００１９】  ガス＆ガス接触反応があリアルタイムで可能になると都市公害の中で大きな問題となっている屎尿処理場や製鉄所或は石炭火力発電所等から発生する亜硫酸ガスやアンモニアガス等を球形サイクロン内に導入し、オゾンガスに接触反応させると、硫酸アンモニアを生成し、空気浄化が行えると共に農業に必要な硫酸アンモニアが生成される。【００２０】  以上のように硫安製造も液化アンモニアによって、液化硫安を硝酸で結晶化という工程が簡素化され、或は大気中の亜硫酸ガスとアンモニアガスを捕捉してオゾン酸化により大気を浄化したり、副成物としてダイレクトに硫安が生成出来る等、新たな産業が生まれる。
【符号の説明】
【００２１】１．  ガス＆ガス混合球形サイクロン
２．  ガス投入口Ａ
３．  ガス投入口Ｂ
４．  ガス投入口Ｃ
５．  接線旋回流
６．  テーパ付排出筒
７．  乱流発生用天蓋
８．  排出筒
９．  大気排出口
１０．第一乱流接触部
１１．第二乱流接触部
【図１】
2014000561.tif 000003
【図２】
2014000561.tif 000004
(57)【要約】【課題】  従来技術に比べて簡便に塗料滓を分解処理できる塗料滓処理方法を提供する。【解決手段】  有機物分解微生物及び／又は有機物分解酵素を収容した処理装置例えば生ゴミ処理装置に塗料滓を投入し、又は有機物分解微生物及び／又は有機物分解酵素と共に塗料滓を処理装置例えば生ゴミ処理装置に投入し、適度の温度と湿度とを与えることにより、空気環境下で、且つ従来技術に比べて簡便に、塗料滓を分解処理することができる。【選択図】なし【特許請求の範囲】
【請求項１】
有機物分解微生物及び／又は有機物分解酵素を収容した処理装置に塗料滓を投入して、又は有機物分解微生物及び／又は有機物分解酵素と共に塗料滓を処理装置に投入して、空気環境下で分解処理することを特徴とする塗料滓処理方法。
【請求項２】
塗料滓に生分解性粉体を混入させて処理装置に投入することを特徴とする請求項１に記載の塗料滓処理方法。
【請求項３】
有機物分解微生物はバチルス種及び／又はシュードモナス種の微生物であることを特徴とする請求項１又は２に記載の塗料滓処理方法。
【請求項４】
有機物分解酵素は、アミラーゼ、プロテアーゼ、セルラーゼ、リパーゼから選択された一種又は複数種であることを特徴とする請求項１乃至３の何れか１項に記載の塗料滓処理方法。
【発明の詳細な説明】
【技術分野】
【０００１】
本発明は塗料滓処理方法に関するものである。
【背景技術】
【０００２】
塗装滓の処理方法として、塗料滓を有機物分解微生物を用い水環境下で分解処理することを特徴とする塗料滓処理方法が特許文献１等に開示されている。
【先行技術文献】
【特許文献】
【０００３】
【特許文献１】特開平１１−３１４０９５号公報
【発明の概要】
【発明が解決しようとする課題】
【０００４】
水環境下での塗料滓の分解処理には、水と有機物分解微生物とを貯留した分解処理槽、水循環設備等を必要とし、処理装置が大型化するという問題がある。
本発明は上記課題に鑑みてなされたものであり、従来技術に比べて簡便に塗料滓を分解処理できる塗料滓処理方法を提供することを目的とする。
【課題を解決するための手段】
【０００５】
上記課題を解決するために、本発明においては、有機物分解微生物及び／又は有機物分解酵素を収容した処理装置に塗料滓を投入して、又は有機物分解微生物及び／又は有機物分解酵素と共に塗料滓を処理装置に投入して、空気環境下で分解処理することを特徴とする塗料滓処理方法を提供する。
有機物分解微生物及び／又は有機物分解酵素を収容した処理装置例えば生ゴミ処理装置に塗料滓を投入し、又は有機物分解微生物及び／又は有機物分解酵素と共に塗料滓を処理装置例えば生ゴミ処理装置に投入し、適度の温度と湿度とを与えて、空気環境下で分解処理することができる。
空気環境下での塗料滓分解処理には、水と有機物分解微生物とを貯留した処理槽や水循環装置を必要としないので、簡便に塗料滓を分解処理できるという利点がある。
【０００６】
本発明の好ましい態様においては、塗料滓に生分解性粉体を混入させて処理装置に投入する。
生分解性粉体は有機物分解微生物の餌になるので、処理装置内での有機物分解微生物の増殖、活性化に寄与する。
本発明の好ましい態様においては、有機物分解微生物はバチルス種及び／又はシュードモナス種の微生物である。
バチルス種及び／又はシュードモナス種の微生物は有機物分解微生物として有効である。
本発明の好ましい態様においては、有機物分解酵素は、アミラーゼ、プロテアーゼ、セルラーゼ、リパーゼから選択された一種又は複数種である。
アミラーゼ、プロテアーゼ、セルラーゼ、リパーゼは有機物分解酵素として有効である。
【発明の効果】
【０００７】
本発明により、従来技術に比べて簡便に塗料滓を分解処理できる塗料滓処理方法が提供される。
【発明を実施するための形態】
【０００８】
本発明の実施例に係る塗料滓処理方法を説明する。
塗料滓、例えば塗装ブース循環水に捕捉させ塗料スラッジとして回収した塗料滓、ドライフィルターに捕捉させて回収した塗料滓、塗装ブース囲壁から剥離除去された塗料滓等を、有機物分解微生物及び／又は有機物分解酵素を収容した処理装置、例えば生ゴミ処理装置、に投入し、又は有機物分解微生物及び／又は有機物分解酵素と共に処理装置、例えば生ゴミ処理装置、に投入し、適度の温度と湿度とを与えて、空気環境下で分解処理する。
空気環境下での塗料滓分解処理には、水と有機物分解微生物とを貯留した処理槽や水循環装置を必要としないので、簡便に塗料滓を分解処理できるという利点がある。
有機物分解微生物として、例えば枯草菌を代表例とするバチルス種、シュードモナス種等の通性嫌気性或いは好気性の有機物分解微生物が挙げられる。有機物分解酵素としてアミラーゼ、プロテアーゼ、セルラーゼ、リパーゼ等が挙げられる。有機物分解酵素は単一種でも良く、或いは複数種の組合せでも良い。
有機物分解微生物と有機物分解酵素とを組み合わせて使用しても良い。
油かす、おが屑等の生分解性粉体を有機物分解微生物及び／又は有機物分解酵素と組合せて使用しても良い。生分解性粉体は有機物分解微生物の餌になるので、処理装置内での有機物分解微生物の増殖、活性化に寄与する。
有機物分解微生物、有機物分解酵素、生分解性粉体は上記実施例に記載したものに限定されない。空気環境下での塗料滓の生分解に適したものであれば良い。有機物分解微生物をパーライト等の担体に担持させても良い。
【産業上の利用可能性】
【０００９】
本発明は、塗料滓の処理方法に広く利用可能である。
(57)【要約】      （修正有）【課題】自立する構造を有することでどこにでも置けて乾燥が容易に可能なふきんを提供する。【解決手段】本体１に自立のための構造上の強度を設ける。構造上の強度は例えば、布を縫い合わせることで鉛直方向に複数設けられた支持手段２や上下端部に設けられた輪状の厚み３である。通風手段である端部の半円状の窪み４の働きで、上端部との通風が起こり、本体１の迅速な乾燥が可能となる。【選択図】図１
2014000223.tif 000002
【特許請求の範囲】
【請求項１】
側面に自立のための支持手段を複数設けたことを特徴とする筒状のふきん。
【請求項２】
前記ふきんの端部に、輪状の形を保つための支持手段を設けたことを特徴と
する請求項１記載のふきん。
【請求項３】
前期ふきんの端部の少なくとも片側に、通風手段が設けられていることを特
徴とする請求項１及び２記載のふきん。
【請求項４】
前記請求項１から３において、支持手段の一部または全てがふきんの布を複
数回重ねて縫製した支持手段であるふきん。
【発明の詳細な説明】
【技術分野】
【０００１】
この発明は、手指、食台上面等の洗浄または乾燥に用いるふきんの形状に関する。
【背景技術】
【０００２】
従来のふきんの形状は扁平もしくは筒状のものであり、使用後に乾燥させるためにハ
ンガーを使用する。
【先行技術文献】
【特許文献】
【０００３】
【特許文献１】特開２００２−６５５００号公報
【特許文献２】実開昭４７−９６７４号公報
【特許文献３】実開昭５９−８３４９４号公報
【特許文献４】実開平４−５１２９３号公報
【特許文献５】実願２００８−５３２９号公報
【特許文献６】実開昭４８−１１０１７９号公報
【発明の概要】
【発明が解決しようとする課題】
【０００４】
しかしながら、以上の技術によれば、キッチン等の壁面にハンガーを設置する必要が
あり、ふきんの枚数が増えた際に、その都度乾燥場所を確保出来るとは限らなかった。
またハンガーにかけたりハンガーから取り外すにも手間がかかった。
そこで、この発明は、自立する構造を有することでどこにでも置けて乾燥が容易に可
能なふきんを提供することを課題とする。
【課題を解決するための手段】
【０００５】
以上の課題を解決するために、第一発明は、側面にに自立のための支持手段を複数設
けたことを特徴とする筒状のふきんである。
また、第二発明は、前記ふきんの端部に、輪状の形を保つための支持手段を設けたこ
とを特徴とする第一発明記載のふきんである。
また、第三発明は、前記ふきんの端部の少なくとも片側に、通風手段が設けられてい
ることを特徴とする第一及び第二発明記載のふきんである。
また、第四発明は、前記第一から第三発明において支持手段の一部または全てがふき
んの布を複数回重ねて縫製した支持手段であるふきんである。
【発明の効果】
【０００６】
第一発明、又は第二発明によれば、ふきんが構造的に強度を有するので、端部を下と
して自立させることが可能となり、任意の場所での乾燥が容易となる。
また、第三発明によれば、下端部に設けられた通風手段と上端部の間で通風が起こる
ので、ふきんのより迅速な乾燥が可能となる。
また、第四発明によれば支持手段をローコストで構成する事が可能となる。
【図面の簡単な説明】
【０００７】
【図１】この発明の一実施形態を示す斜視図である。
【図２】この発明の他の実施形態を示す斜視図である。
【図３】この発明の他の実施形態を示す斜視図である。
【図４】この発明の他の実施形態を示す斜視図である。
【発明を実施するための形態】
【０００８】
この発明の一実施形態を、図１に示す。
ふきんの本体１は布製の筒状であり、この本体１の側面には、布を複数回重ねて縫い
合わせることによって設けられた支持手段２が複数設けられている。
また、上下端部には布を複数回重ねて縫い合わせることによって輪状の形を保つため
の支持手段３が設けられ、更に半円状の窪み４が複数設けられている。
【０００９】
「実施形態の効果」
この実施形態によれば、支持手段２及び３の働きで、ふきんに構造上の強度が生
まれる。したがって、端部を下にした際に本体１が自立可能となる。半円状の窪み４と上端部
の間で通風が起こるので、本体１のより迅速な乾燥が可能となる。
また自立することでふきんに絵を描いて、飾りとすることもできる。
【００１０】
「他の実施形態」
図１の実施形態では、支持手段２は鉛直方向に複数設けられていたが、他の実施形態では、
支持手段２は図２に示すように斜め方向に複数設けたものでも良い（トラス構造を含む）。
また、本実施例では支持手段としてふきんの布を複数回重ねて縫製したものを支持手段とし
たが、より強度のある布（デニム、帆布など）や合成樹脂、ゴム、バネ材などを用いても良い
。
また、本実施例で使用する布はいわゆるふきんに使用する吸水性が良く柔軟な布であるが、
デニム、帆布など強度のある布を用いてより構造上の強度を高めても良い。
また、本実施例では布は一種類としたが、吸水性に優れる布と強度のある布を重ねて縫製し
ても良い。
また、本実施例では通風手段として窪みを設けたが、複数の足を設けて端部とふきんを立て
る台の間に隙間を設けても良い。
【符号の説明】
【００１１】
１  ふきん本体            ２  支持手段
３  支持手段（輪）          ４  半円状の窪み  
５  かざり（絵）
【図１】
2014000223.tif 000003
【図２】
2014000223.tif 000004
【図３】
2014000223.tif 000005
【図４】
2014000223.tif 000006